(57)【特許請求の範囲】
【請求項１】
本体ケーシングと前面カバーとオープンパネルで筐体を構成する室内機の、上面に吸込口を前面又は底面に吹出口を備え、前記吸込口から吸い込んだ室内空気をこの吸込口の内面側に沿って設けられたフイルタを通過した後、熱交換器で熱交換して前記吹出口より吹き出すものに於いて、
前記フィルタを移動させる移動経路を設け、この移動経路にはオープンパネルと熱交換器との間にＳ字状屈曲部が形成され、移動経路の途中にフィルタ移動装置とフィルタを清掃するダストボックスを備え、
前記フィルタは左右一対で備えられ、それぞれのフィルタは凹凸状に形成した縦枠と上下の横枠で外枠を形成し、この外枠内を縦桟と横桟で区画した中に柔軟な薄網を一体成型して設けられ、
前記フィルタ移動装置は回転により二つのフィルタを同時に移動させるために円柱状のフィルタ送り軸が形成され、このフィルタ送り軸の中央と両端部にはフィルタの縦枠に係合する送り軸突起を設けると共に、一端にはモータからの回転を係合して伝達する歯車部を設け、前記複数の送り軸突起の間には前記フィルタの縦桟に対向する位置にガイドリブを設けたことを特徴とする空気調和機。
【発明の詳細な説明】
【技術分野】
【０００１】
この発明は、空気調和機に関するもので、特にエアフィルタの自動清掃機能を供えた空気調和機に関するものである。
【背景技術】
【０００２】
従来、空気調和機に於いては、送風ファンにより吸い込んだ室内空気を、熱交換器を通過させることにより冷却または加熱して室内へと返流させるが、空気中に浮遊する塵埃が熱交換器を汚染するのを防止するため、熱交換器の前面側にエアフィルタが設けられている。このフィルタに塵埃が付着して目詰まりが生じて通風抵抗が増大すると、熱交換が妨げられるために空気調和機の空調能力が低下すると共に、消費電力が増大する。このような不都合を解消するため、フィルタの自動清掃機能を供えた空気調和機が種々提案されている。
【０００３】
また、フィルタを自動的に清掃する場合、フィルタの全面を清掃ブラシで掃除するため、フィルタと清掃ブラシとの少なくともいずれか一方を移動させる必要がある。フィルタを移動させる方法としては、例えば特許文献１に開示されているように、フィルタを移動させる移送手段と、この移動過程においてフィルタに付着した塵埃を除去する清掃手段とを備えて成り、更に、フィルタを通常使用位置に保持する通常ガイド部と、この通常ガイド部の一端部に連なると共に、湾曲部に対向して接触する回転ブラシを備え、前記フィルタを移動させることによって、通常ガイド部の一端部に位置するフィルタの先端部が、通常ガイド部から湾曲部でＵ字状に折返されて前記ブラシによって自動清掃を行うものであり、清掃後のゴミは前面側から取り付けられるダストボックスに集められるものである。
【先行技術文献】
【特許文献】
【０００４】
【特許文献１】特許４１７５４０９号公報
【発明の概要】
【発明が解決しようとする課題】
【０００５】
この従来例の空気調和機ではフィルタの移動経路がＵ字状に形成され、フイルタの移動を折り返えして行う構造であるために、空気調和機の奥行き寸法が大きくなり、空気調和機のコンパクト化の妨げとなるものであった。
また、故障等でフイルタのメンテナンスを行う場合や、油汚れを取り除くような場合にはフイルタを取り外す必要であるが、自動清掃が複雑であるために比較的難しい作業を要する必要が有った。
【課題を解決するための手段】
【０００６】
この発明はこの点に着目し上記欠点を解決する為、特にその構成を、本体ケーシングと前面カバーとオープンパネルで筐体を構成する室内機の、上面に吸込口を前面又は底面に吹出口を備え、前記吸込口から吸い込んだ室内空気をこの吸込口の内面側に沿って設けられたフイルタを通過した後、熱交換器で熱交換して前記吹出口より吹き出すものに於いて、前記フィルタを移動させる移動経路を設け、この移動経路にはオープンパネルと熱交換器との間にＳ字状屈曲部が形成され、移動経路の途中にフィルタ移動装置とフィルタを清掃するダストボックスを備え、前記フィルタは左右一対で備えられ、それぞれのフィルタは凹凸状に形成した縦枠と上下の横枠で外枠を形成し、この外枠内を縦桟と横桟で区画した中に柔軟な薄網を一体成型して設けられ、前記フィルタ移動装置は回転により二つのフィルタを同時に移動させるために円柱状のフィルタ送り軸が形成され、このフィルタ送り軸の中央と両端部にはフィルタの縦枠に係合する送り軸突起を設けると共に、一端にはモータからの回転を係合して伝達する歯車部を設け、前記複数の送り軸突起の間には前記フィルタの縦桟に対向する位置にガイドリブを設けたものである。
【発明の効果】
【０００７】
この発明によれば、メンテナンス等でフイルタを着脱する必要が生じた場合でも、フィルタの縦桟とフィルタ送り軸のガイドリブの位置を同じにすることで、作業者が目視により簡単にフイルタを正規の位置にセットすることができるものであり、組立作業に於いても作業効率を向上するものである。
【図面の簡単な説明】
【０００８】
【図１】この発明一実施例の斜視図。
【図２】同展開図。
【図３】同断面図。
【図４】同開蓋状態のダストボックス斜視図。
【図５】同中央を省略したダストボックス正面図。
【図６】同ダストボックス左側面に対向する要部断面図。
【図７】同ダストボックス右側面に対向する要部断面図。
【図８】同フィルタの斜視図。
【図９】同フィルタ回転軸の斜視図。
【図１０】同フイルタ押えの斜視図。
【図１１】同前面カバーの内側の斜視図。
【図１２】同駆動部の分解斜視図。
【図１３】同フイルタ取付中の部分斜視図。
【発明を実施するための形態】
【０００９】
次に、この発明の空気調和機の実施の形態について、図面を基に説明する。１はセパレート式空気調和機の室内機で、本体ケーシング２と前面カバー３とオープンパネル４で筐体を形成し、前記前面カバー３の更に前面に位置する前記オープンパネル４上部左右には取付軸５を設け、この取付軸５を支点として前面カバー３の前方へ開閉自在に取付られる。前記前面カバー３上面には横長格子状の吸込口６を備え、前記前面カバー３下方から底面には斜め前方に温度調節された空気を吹き出す横長の吹出口７を設け、吸込口６から吹出口７の間に送風経路８を形成している。この送風経路８の前記吸込口６内側には横長のフィンチューブ式の熱交換器９が、その前後方向の中間部を頂部として側面視で逆Ｖ字状に配置されている。また前記熱交換器９は本体ケーシング２に対向する後側熱交換器１０と前面カバー３に対向する前側熱交換器１１を形成し、この熱交換器９の下方には横長のクロスフローファンから成る送風ファン１２を配置している。
【００１０】
前記吹出口７には運転時に上下方向の吹出風の風向を調整し、停止時には自動的に吹出口７を閉じる上下風向板１３と左右方向の吹出風の風向を調整する左右風向板１４を設けている。
前記吸込口６の内側には、空気中に浮遊する塵埃が前記熱交換器９を汚染するのを防止するために樹脂製網から形成される左右一対のフイルタ１５が設けられている。
前記前面カバー３とオープンパネル４の間には、空間１６が設けられダストボックス１７を着脱自在に取り付けられるように、前記空間１６の左側壁１８には上下に長い左長穴１９を、右側壁２０にも同様に右長穴２１を設けている。
前記ダストボックス１７は、内部に集められたゴミを貯蔵するダストボックス本体２２と、前面から上面を覆う蓋２３と、フイルタ１５に張り付いたゴミを掻き落とすブラシ２４で構成し、前記蓋２３の端部にはブラシ２４に絡みついたゴミを落とす櫛部２５を設けている。
前記フィルタ１５は吸込口６からオープンパネル４の内側の左右及び中央に形成された溝部２６に沿って移動経路２７を移動する。
【００１１】
２８はフィルタ移動装置としてのフィルタ送り軸で、回転によりフィルタ１５を移動させるもので、円柱の中央と左右にフィルタ１５の縦枠２９に係合する送り軸突起３０と、右端に駆動部３１と係合する歯車部３２と、前記送り軸突起３０の間に２カ所設けたガイドリブ３３を備えている。前記駆動部３１は前記前面カバー３の右側壁２０の内側に取り付けられ、フイルタ送り軸２８とブラシ２４をそれぞれ回転する２個のステップモータ３１ａと、このモータ３１ａの回転を伝達する多数の歯車３１ｂを備えている。
【００１２】
前記吸込口６は縦桟３４と横桟３５によって格子状に多数の横長穴３６を形成し、前記縦桟３４の内側にはフィルタ１５側にレール状凸部３７を設け、フィルタ１５移動時にフィルタ１５の横枠３８や横桟３９が吸込口６の横桟３５に引っかかってフィルタ１５の移動を妨げない様にするものであり、フィルタ１５の縦桟４０とレール状凸部３７を対向する位置関係で、且つレール状凸部３７の厚さを前側に近いほど厚くすることで、フィルタ１５が移動経路２７の上溝部４１側からＳ字状屈曲部４２側へよりスムーズに移動できる様に配慮している。
【００１３】
前記フィルタ１５は前記左右の片面を凹凸状に形成した前記縦枠２９と上下の横枠３８で外枠を形成し、この外枠内を２本の縦桟４０と２本の横桟３９で区画した中に柔軟な薄網４３を一体成型して作られる。また、フイルタ１５は通常状態では吸込口６内側の上溝部４１側に位置し、フィルタ自動清掃を開始するとフィルタ送り軸２８とブラシ２４が回転し、フイルタ１５が下溝部４４側に移動しながらブラシ２４によってフィルタ１５表面に堆積したゴミが剥ぎ取られダストボックス本体２２内に蓄えられるものであり、前記移動経路２７の上溝部４１側と下溝部４４側の間をＳ字状に屈曲して（前記Ｓ字状屈曲部４２）ブラシ２４とフイルタ送り軸２８を設けることで室内機１の奥行き寸法を小さくすることができ、コンパクト化をすることができるものである。また、Ｓ字状屈曲部４２にてブラシ２４とフィルタ１５の接触をブラシ２４の外周の１／４以上とすることで、ブラシ２４とフィルタ１５の接触面積を大きく取ることができ効率的にゴミを掻き落とすことができるものである。
【００１４】
４５はフイルタ押えで、前記フィルタ送り軸２８と下溝部４４の前方に設けられ、フィルタ送り軸２８との間にフイルタ１５を挟んで、フィルタ送り軸２８の回転によってフィルタ１５のＳ字状屈曲部４２での移動がスムーズに行われるようにするものであり、左右側端に一対備えた回動軸４６によって前記前面カバー３に回動自在に取り付けられる。
【００１５】
４７は前記熱交換器９の前側で発生する結露水を受ける前部ドレンパンで、前記吹出口７の上面の壁と一体に形成している。４８は前記熱交換器９の背面側で発生する結露水を受ける後部ドレンパンで、前記本体ケーシング２と一体に形成している。４９は内部に制御基板（図示せず）等の電子部品を収納する電装ボックスで、前記本体ケーシング２の右前方に取り付けられている。５０は表示部で、運転ランプやタイマランプ等のランプ類（図示せず）によって運転状態を表示するものである。
【００１６】
前記ダストボックス本体２２の左右の側壁５１には上下方向に長い長丸状突起５２を設け、一方蓋２３左右に下方に延出した端部５３には下部が円形で上部が細長い穴５４を設け、閉蓋時には前記突起５２が穴５４の上部に係合することで開蓋を防止するものであり、ダストボックス本体２２から蓋２３を上方に引き上げて、突起５２が穴５４の円形の下部に達すれば、穴５４下部を中心に蓋２３を回動して開くことができ、ダストボックス本体２２内に集められたゴミを捨てることができる。蓋２３を閉じるにはこの逆をすれば良く、極めて簡単に蓋の開閉ができると共に、蓋２３を閉じて前面カバー３にセットすれば突起５２と穴５４の上部が係合して蓋２３が勝手に開くようなことはないものである。
【００１７】
また、前記ダストボックス本体２２の左の側壁５１中央には縦長板状の突起５５を設け、右の側壁５１に突出し左右方向に摺動自在のスライドレバー５６を設けている。前記前面カバー３の空間１６へのダストボックス１７の取付け手順について説明すれば、ダストボックス本体２２に蓋２３がセットされていることを確認後、前記左の側壁５１の縦長板状突起５５を前面カバー３の左長穴１９に挿入し、右の側壁５１のスライドレバー５６を前面カバー３の右長穴２１に挿入して係止すればブラシ２４右端に備えたブラシ歯車５７が駆動部３１の歯車３１ｂと噛み合い取付が完了する。また、取外しは前記の取付手順の逆を行えば良いものであり、極めて簡単にダストボックス１７の着脱をすることができるものである。
【００１８】
図１３はオープンパネル４とダストボックス１７を取り外した状態でフイルタ１５の取付を示す斜視図で、前記フィルタ１５の着脱について説明すれば、前記オープンパネル４の下部を手前に引けば前面カバー３への係止が外れ取付軸５を中心に回転すればダストボックス１７が現れる、これを前記の手順で取り外せば、Ｓ字状屈曲部４２の部分に左右一対のフィルタ押え４５が現れ、このフィル押え４５の回動軸４６を中心にフィルタ押え４５を手前に引けば、フィルタ１５の先端が開放されるのでフィルタ１５を引き抜くことができるものである。フィルタ１５の取付は、フィルタ１５の縦桟４０とフィルタ送り軸２８のガイドリブ３３の位置を同じにすることで、作業者が目視により簡単にフイルタ１５を正規の位置にセットすることができるものであり、組立作業に於いても作業効率を向上するものである。また、上溝部４１側への挿入はフイルタ送り軸２８のガイドリブ３３にフィルタ１５の縦桟４０位置を合わせて行うことができるので、フイルタ１５の位置がずれたり、曲がったりして正常にセットできないような事を防止している。
【００１９】
フィルタ１５の自動掃除運転は、室内機１の運転終了後や運転前に毎回行う方法や、室内機の積算運転時間に応じて定期的に行うものであり、ダストボックス本体２２に溜まったゴミ捨ては室内に漂う塵埃の量やダストボックス本体２２の容量等の条件によって異なり１年１回から１０年１回適宜行われるものである。
【００２０】
室内機１の運転終了後に自動掃除運転が行われた場合について説明すれば、まず室内機１の運転が終了し冷凍サイクルが停止すると共に送風ファン１２が停止すれば、駆動部３１の２つのモータ３１ａが回転を開始し、この回転がフイルタ送り軸２８とブラシ２４に伝わり、このフイルタ送り軸２８の回転でフイルタ送り軸２８とフイルタ押え４５の間に挟まれた部分のフイルタ１５からＳ字状屈曲部４２を通過しながらブラシ２４にてフィルタ１５表面に付着したゴミを剥ぎ取ってダストボックス本体２２へ導き、フィルタ１５全体がＳ字状屈曲部４２を通過して下溝部４４側へ移動後、モータ３１ａの逆回転により、もう１回フイルタ１５の表面を掃除しながら上溝部４１側の通常位置へ戻って自動掃除を終了する。
【００２１】
このように、フイルタ１５の移動経路２７をＳ字状に形成することで、空気調和機の奥行き寸法を小さくコンパクトにすることができる。
また、Ｓ字状屈曲部４２の下方にフイルタ１５から取り除かれたゴミを収納するダストボックス１７を設けることで、フィルタ１５のに付着したゴミを重力方向に効率よく集めることができるものである。
また、メンテナンス等でフイルタ１５を着脱する必要が生じた場合でも、フィルタ１５の縦桟４０とフィルタ送り軸２８のガイドリブ３３の位置を同じにすることで、作業者が目視により簡単にフイルタ１５を正規の位置にセットすることができるものであり、組立作業に於いても作業効率を向上するものである。
【符号の説明】
【００２２】
２    本体ケーシング
３    前面カバー
４    オープンパネル
６    吸込口
７    吹出口
９    熱交換器
１５    フィルタ
１６    空間
１７    ダストボックス
１９    左長穴
２１    右長穴
２４    ブラシ
２６    溝部
２７    移動経路
２８    フィルタ送り軸
３０    送り軸突起
３３    ガイドリブ
４２    Ｓ字状屈曲部
５５    縦長板状突起
５６    スライドレバー
【図１】
0005547616.tif 000002
【図２】
0005547616.tif 000003
【図３】
0005547616.tif 000004
【図４】
0005547616.tif 000005
【図５】
0005547616.tif 000006
【図６】
0005547616.tif 000007
【図７】
0005547616.tif 000008
【図８】
0005547616.tif 000009
【図９】
0005547616.tif 000010
【図１０】
0005547616.tif 000011
【図１１】
0005547616.tif 000012
【図１２】
0005547616.tif 000013
【図１３】
0005547616.tif 000014